(57)【要約】      （修正有）【課題】重量のある台車が乗っても歪むことなく、安全かつスムーズに揺れ動きを吸収でき、各部品の小さい床用目地装置を提供する。【解決手段】目地部２の中央部に常時位置する中央維持リンク機構６と、中央維持リンク機構６の中央枢支部に両端部が枢支された中央支持バー８と、移動可能に支持された複数個の台車状の支持フレーム１２と、他端部が隣り合う支持フレームのスライドスペース１３をスライド可能に支持するように固定されたプレート１４と、支持フレーム１２の上面に固定された端部プレート１５と、複数個の支持フレームの両端部の中央底部に下方へ突出するように設けられたガイド片１６と、左右の床躯体の目地部側部位に位置するように設けられたガイドレール１７と、支持フレーム１２に常時付勢スプリングで外方へ突出するように取付け、スライド移動できるカバープレート２０とで構成する。【選択図】図１
2014234597.tif 000002
【特許請求の範囲】
【請求項１】
目地部を介して設けられた左右の床躯体の目地部側の両端部に取付けられた中央枢支部が、前記目地部の中央部に常時位置する１対の中央維持リンク機構と、この１対の中央維持リンク機構の中央枢支部に両端部が枢支された中央支持バーと、この中央支持バーに所定間隔でほぼ中央部が枢支され、かつ両端部が前記左右の床躯体の目地部側に移動可能に支持された複数個の台車状の支持フレームと、この複数個の支持フレームの一端部の支持フレームを除く部位の支持フレームの上面にそれぞれ一端部側にスライドスペースを有し、かつ他端部が隣り合う支持フレームのスライドスペースをスライド可能に支持されるように固定されたプレートと、前記一端部の支持フレームの上面に固定された、該一端部の支持フレームを覆い、かつ隣り合う支持フレームのスライドスペースにスライド可能に支持される端部プレートと、前記複数個の支持フレームのそれぞれの両端部の中央底部に下方へ突出するように設けられたガイド片と、このガイド片と係合する前記左右の床躯体の目地部側部位に左右方向に位置するように設けられたガイドレールと、前記複数個の支持フレームの両側部位に位置する支持フレームに常時付勢スプリングで外方へ突出するように取付けられた台車状の補助プレートと、前記左右の床躯体の目地部側にそれぞれ設置された、前記プレートが取付けられた複数個の支持フレームの両端部がスライド移動できる１対のカバープレートとで構成されていることを特徴とする床用目地装置。
【発明の詳細な説明】
【技術分野】
【０００１】
本発明は目地部を介して設けられた左右の躯体間の床目地部を、重量のある台車等が通行できる床用目地装置に関する。
【背景技術】
【０００２】
従来、この種の床用目地装置は左右の床躯体が地震で異なる前後方向に揺れ動いた場合、その揺れ動きを吸収できるように、目地部の前後方向の左右の床躯体の寸法よりも小さく設定した目地プレートを用い、該目地プレートの両側の隙間を常時外方へ突出する五角形や台形状の回動自在な補助目地プレートを用いて覆っている。
しかしながら、このような構成の床用目地装置は、補助目地プレートは目地プレートに生じる隙間を覆うだけのもので、十分な強度がなく、重量のある台車が補助目地プレートに乗ると、補助目地プレートが歪んでしまうという欠点があった。
【先行技術文献】
【特許文献】
【０００３】
【特許文献１】特許第３３８２５７１号公報
【特許文献２】特許第３２０４９３４号公報
【発明の概要】
【発明が解決しようとする課題】
【０００４】
本発明は以上のような従来の欠点に鑑み、重量のある台車が乗っても歪んだりすることなく、安全に走行することができるとともに、左右の床躯体が地震によって異なる前後左右方向に揺れ動いても、スムーズにその揺れ動きを吸収することができ、かつ各部品が小さくて、設置作業を楽に行なうことができる床用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して設けられた左右の床躯体の目地部側の両端部に取付けられた中央枢支部が、前記目地部の中央部に常時位置する１対の中央維持リンク機構と、この１対の中央維持リンク機構の中央枢支部に両端部が枢支された中央支持バーと、この中央支持バーに所定間隔でほぼ中央部が枢支され、かつ両端部が前記左右の床躯体の目地部側に移動可能に支持された複数個の台車状の支持フレームと、この複数個の支持フレームの一端部の支持フレームを除く部位の支持フレームの上面にそれぞれ一端部側にスライドスペースを有し、かつ他端部が隣り合う支持フレームのスライドスペースをスライド可能に支持されるように固定されたプレートと、前記一端部の支持フレームの上面に固定された、該一端部の支持フレームを覆い、かつ隣り合う支持フレームのスライドスペースにスライド可能に支持される端部プレートと、前記複数個の支持フレームのそれぞれの両端部の中央底部に下方へ突出するように設けられたガイド片と、このガイド片と係合する前記左右の床躯体の目地部側部位に左右方向に位置するように設けられたガイドレールと、前記複数個の支持フレームの両側部位に位置する支持フレームに常時付勢スプリングで外方へ突出するように取付けられた台車状の補助プレートと、前記左右の床躯体の目地部側にそれぞれ設置された、前記プレートが取付けられた複数個の支持フレームの両端部がスライド移動できる１対のカバープレートとで床用目地装置を構成している。
【発明の効果】
【０００７】
以上の説明から明らかなように、本発明にあっては次に列挙する効果が得られる。
（１）請求項１により、複数個の台車状の支持フレームと、常時付勢スプリングで外方へ突出する台車状の補助プレートとで左右の床躯体間の目地部を覆っているので、重量のある台車が走行で乗っても、従来のように歪んだりすることなく安全に走行することができる。    
（２）前記（１）によって、左右の床躯体間の目地部を複数個の台車状の支持フレームや台車状の補助プレートで覆っているため、複数個に分割されており、クレーン等を用いなくても設置作業ができ、楽に設置作業を行なうことができる。
（３）前記（１）により、地震で左右の床躯体が異なる前後方向に揺れ動いても、左右の床躯体間の目地部を隙間なくプレートが取付けられた複数個の支持フレーム、補助プレートで覆うことができ、安全に使用することができる。
【図面の簡単な説明】
【０００８】
【図１】本発明を実施するための第１の形態の平面図。
【図２】図１の２−２線に沿う断面図。
【図３】図１の３−３線に沿う断面図。
【図４】本発明を実施するための第１の形態の中央維持リンク機構の説明図。
【図５】本発明を実施するための第１の形態のプレートが取付けられた支持フレームの説明図。
【図６】本発明を実施するための第１の形態の両側部の支持フレームの説明図。
【図７】本発明を実施するための第１の形態のガイドレールの説明図。
【図８】本発明を実施するための第１の形態の補助プレートの説明図。
【図９】本発明を実施するための第１の形態の地震で目地部が広くなった動作説明図。
【図１０】本発明を実施するための第１の形態の地震で目地部が狭くなった動作説明図。
【図１１】本発明を実施するための第１の形態の地震で異なる前後方向に揺れ動いた状態の動作説明図。
【図１２】本発明を実施するための第２の形態の平面図。
【図１３】図１２の１３−１３線に沿う断面図。
【図１４】本発明を実施するための第２の形態の中央維持リンク機構の説明図。
【図１５】本発明を実施するための第３の形態の平面図。
【図１６】図１５の１６−１６線に沿う断面図。
【図１７】本発明を実施するための第３の形態のカバープレートの説明図。
【発明を実施するための形態】
【０００９】
以下、図面に示す本発明を実施するための形態により、本発明を詳細に説明する。
【００１０】
図１ないし図１１に示す本発明を実施するための第１の形態において、１は目地部２を介して設けられた左右の床躯体３、３間の目地部２を、人や重量のある台車の通行が可能に覆う本発明の床用目地装置で、この床用目地装置１は前記左右の床躯体３、３の目地部側の両端部にヒンジ部材４、４を介して取付けられた中央枢支部５が、前記目地部２の中央部に常時位置する１対の中央維持リンク機構６、６と、この１対の中央維持リンク機構６、６の中央枢支部５、５に両端部が枢支ピン７、７で枢支された中央支持バー８と、この中央支持バー８に所定間隔、例えば４０ｍｍ〜５０ｍｍでほぼ中央部が枢支ピン９でそれぞれ枢支され、かつ両端部が前記左右の床躯体３、３の目地部側に形成した支持凹部１０、１０内をスライド移動可能に支持される天板１１が固定された複数個の台車状の支持フレーム１２と、この複数個の支持フレーム１２の一端部の支持フレーム１２を除く部位の支持フレーム１２の天板１１の上面にそれぞれ一端部側にスライドスペース１３を有し、かつ他端部が隣り合う支持フレーム１２のスライドスペース１３をスライド可能に支持されるように固定された約３ｍｍ厚さのプレート１４と、前記一端部の支持フレーム１２の上面に固定された、該一端部の支持フレーム１２の天板１１を覆い、かつ隣り合う支持フレーム１２のスライドスペース１３にスライド可能に支持される端部プレート１５と、前記複数個の支持フレーム１２のそれぞれの両端部の中央底面に下方へ突出するように設けられたガイド片１６、１６と、このガイド片１６、１６と係合する前記左右の床躯体３、３の支持凹部１０、１０に左右方向に位置するように設けられたガイドレール１７、１７と、前記複数個の支持フレーム１２の両側部位に位置する支持フレーム１２、１２に常時付勢スプリング１８、１８で外方へ突出するように取付けられた台車状の補助フレーム１９、１９と、前記左右の床躯体３、３の支持凹部１０、１０を覆うように設置された、前記プレート１４、補助フレーム１９が取付けられた複数個の支持フレーム１２の両端部がスライド移動できる、例えば４ｍｍの厚さ寸法の１対のカバープレート２０、２０とで構成されている。
【００１１】
前記１対の中央維持リンク機構６、６は図４に示すように、四角枠形状のリンク２１と、このリンク２１の対向する一方の枢支ピン２２、２２によって枢支された、前記左右の床躯体３、３の目地部側に取付けられるヒンジ部材４、４と、前記リンク２１の対向する一方のアーム２１ａ、２１ａのほぼ中央部に両端部が枢支ピン２３、２３で枢支された中央部に中央枢支部２４が形成された中央バー部材２５とで構成されている。
前記複数個の台車状の支持フレーム１２は、図５に示すように約３０ｍｍの角パイプ材で長方形枠状に形成されたフレーム本体２６と、このフレーム本体２６の中央部に固定された中央部に枢支ピン挿入孔２７が形成された取付板２８と、前記フレーム本体２６の上面を覆うように固定された約３ｍｍの厚さ寸法の天板１１と、前記フレーム本体２６の両端両側部の底面に取付けられたキャスター２９、２９、２９、２９とで構成されている。
【００１２】
なお、複数個の支持フレーム１２のうちの両側部に位置される両側支持フレーム１２Ａ、１２Ａは、図６に示すように両端部を除く部位を除去したフレーム本体２６Ａ、２６Ａを用い、該除去された部位には補助フレーム１９、１９が入り込むように構成されている。
【００１３】
前記補助フレーム１９、１９は図８に示すように、前記両側フレーム１２Ａ、１２Ａのフレーム本体２６Ａ、２６Ａの除去された部位より出没可能となるように約２５ｍｍの角パイプ材で長方形枠状に形成された補助フレーム本体３０と、この補助フレーム本体３０の上面を覆うように固定された約５ｍｍの厚さ寸法の補助天板３１と、前記補助フレーム本体３０の両端両側部の底面に取付けられたキャスター２９、２９、２９、２９とで構成され、前記両側フレーム１２Ａ、１２Ａの内側部位のフレーム本体２６Ａ、２６Ａに水平方向に回動可能に後端部が取付けられ、先端部が補助フレーム本体３０、３０に形成した透孔３２、３２、３２に挿入されるスプリング支持バー３３、３３、３３と、このスプリング支持バー３３、３３、３３に支持された、前記補助フレーム本体３０、３０を常時押し圧する付勢スプリング１８、１８、１８で付勢され、補助フレーム１９、１９が両側支持フレーム１２Ａ、１２Ａより常時外方へ突出するように付勢されている。
【００１４】
上記構成の床用目地装置１は、通常時には図１および図２に示すように左右の床躯体３、３間の目地部２はプレート１４が取付けられた複数個の台車状の支持フレーム１２、１２Ａで覆われ、人や重量のある台車等でも歪むことなく、安全に走行することができる。
【００１５】
地震で左右の床躯体３、３間の目地部２が広くなると、図９に示すように中央支持バー８が１対の中央維持リンク機構６、６で、目地部２の中央部に位置されるため、複数個の支持フレーム１２のガイド片１６、１６が支持凹部１０、１０のガイドレール１７、１７に沿って目地部２方向へスライド移動して、その揺れ動きを吸収する。
【００１６】
この時、１対のカバープレート２０、２０、複数個の支持フレーム１２にそれぞれ取付けられたプレート１４によって目地部２が覆われ、通常時とは１対のカバープレート２０、２０間の複数個の支持フレーム１２に取付けられたプレート１４の左右方向の寸法が大きくなって、その揺れ動きを吸収している。
【００１７】
地震で左右の床躯体３、３間の目地部２が狭くなると、図１０に示すように中央支持バー８が１対の中央維持リンク機構６、６で目地部２の中央部に位置されるため、複数個の支持フレーム１２のガイド片１６、１６が支持凹部１０、１０のガイドレール１７、１７に沿って、反目地部２方向へスライド移動して、その揺れ動きを吸収する。
【００１８】
この時、１対のカバープレート２０、２０、複数個の支持フレーム１２にそれぞれ取付けられたプレート１４によって目地部２は覆われ、通常時とは１対のカバープレート２０、２０間の複数個の支持フレーム１２に取付けられたプレート１４の左右方向の寸法が小さくなって、その揺れ動きを吸収している。
【００１９】
地震で左右の床躯体３、３が異なる前後方向に揺れ動くと、図１１に示すように１対の中央維持リンク機構６、６の両端部のヒンジ部材４、４、４、４によって、中央支持バー８が目地部２の中央部に位置されるとともに、複数個の支持フレーム１２のガイド片１６、１６は支持凹部１０、１０のガイドレール１７、１７と係合しているため、中央支持バー８に枢支されている枢支ピン７を中心に回動する。
【００２０】
この時、複数個の支持フレーム１２に取付けられているプレート１４がスライドスペース１３上をスライド移動し、スライドスペース１３が小さくなる寸法となるように重なって、その揺れ動きを吸収するとともに、複数個の支持フレーム１２の両端部に位置する支持フレーム１２Ａ、１２Ａは傾斜状態となり、左右の床躯体３、３の側壁３ａ、３ａ、３ａ、３ａとの間に隙間３４、３４が生じるが、台車状の補助フレーム１９、１９が付勢スプリング１８、１８の付勢力によって外方へ押し出されて、隙間が生じるのを阻止するとともに、隙間への突出は台車状の補助フレーム１９、１９であるため、該上面に重量のある台車であっても、上面が歪むことなく、安全に走行することができる。
なお、地震での揺れ動きが停止すると、自動的に元の状態へ戻る。
【００２１】
[発明を実施するための異なる形態]
次に、図１２ないし図１７に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図１２ないし図１４に示す本発明を実施するための第２の形態において、前記本発明を実施するための第１の形態と主に異なる点は、四角形状が２個となるパンタグラフ形状の１対の中央維持リンク機構６Ａ、６Ａを用いた点で、このような１対の中央維持リンク機構６Ａ、６Ａを用いて構成した床用目地装置１Ａにしても、前記本発明を実施するための第１の形態と同様な作用効果が得られる。
【００２３】
図１５ないし図１７に示す本発明を実施するための第３の形態において、前記本発明を実施するための第１の形態と主に異なる点は、左右の床躯体３、３の目地部側の床面に支持凹部を形成することなく、ガイドレール１７、１７を形成するとともに、反目地部側に傾斜面３５、３５が形成された１対のカバープレート２０Ａ、２０Ａを用いた点で、このように構成した床用目地装置１Ｂにしても、前記本発明を実施するための第１の形態と同様な作用効果が得られる。
【産業上の利用可能性】
【００２４】
本発明は目地部を介して設けられた左右の床躯体間の目地部を、重量のある台車等の走行が可能とする床用目地装置を製造する産業で利用される。
【符号の説明】
【００２５】
１、１Ａ、１Ｂ：床用目地装置、２：目地部、
３：床躯体、        ４：ヒンジ部材、
５：中央枢支部、      ６、６Ａ：中央維持リンク機構、
７：枢支ピン、      ８：中央支持バー、
９：枢支ピン、      １０：支持凹部、
１１：天板、        １２：支持フレーム、
１３：スライドスペース、    １４：プレート、
１５：端部プレート、    １６：がイド片、
１７：ガイドレール、    １８：付勢スプリング、
１９：補助フレーム、    ２０、２０Ａ：カバープレート、
２１：リンク、      ２２：枢支ピン、
２３：枢支ピン、      ２４：中央枢支部、
２５：中央バー部材、    ２６：フレーム本体、
２７：枢支ピン挿入孔、    ２８：取付板、
２９：キャスター、      ３０：補助フレーム本体、
３１：補強天板、      ３２：透孔、
３３：スプリング支持バー、  ３４：隙間、
３５：傾斜面。
【図１】
2014234597.tif 000003
【図２】
2014234597.tif 000004
【図３】
2014234597.tif 000005
【図４】
2014234597.tif 000006
【図５】
2014234597.tif 000007
【図６】
2014234597.tif 000008
【図７】
2014234597.tif 000009
【図８】
2014234597.tif 000010
【図９】
2014234597.tif 000011
【図１０】
2014234597.tif 000012
【図１１】
2014234597.tif 000013
【図１２】
2014234597.tif 000014
【図１３】
2014234597.tif 000015
【図１４】
2014234597.tif 000016
【図１５】
2014234597.tif 000017
【図１６】
2014234597.tif 000018
【図１７】
2014234597.tif 000019